(57)【特許請求の範囲】
【請求項１】
上面が平坦な浅底受皿部と、この浅底受皿部よりも下方に膨出させた中央部にバーナーヘッド配設孔を有する周溝形状の深底溝とを形成し、該深底溝の外周方に浅底受皿部の一部を上方に膨出させてなる円環状突部を設けてなるガスコンロの受皿上に敷設するガスコンロ用マットであって、上記ガスコンロの受皿上に敷設するマット主体に、上記浅底受皿部に嵌め込むようにして敷設される上面が平坦な浅底皿部と、該浅底皿部よりも下方に膨出させた中央部にバーナーヘッド露出用円形孔を有し且つ上記深底溝に嵌め込むようにして敷設される周溝形状の深底汁受け部とを形成し、更に、上記浅底皿部の一部を上方に膨出させることにより、上記深底汁受け部の外周縁部に上記円環状突部に被嵌させ且つ五徳を位置決めするための円環状突条部を形成していることを特徴とするガスコンロ用マット。
【請求項２】
深底汁受け部の外周壁の上端部を垂直に起立させた起立部に形成していることを特徴とする請求項１に記載のガスコンロ用マット。
【発明の詳細な説明】
【０００１】
【発明の属する技術分野】
本発明はシステムキッチンにおいて用いられているガスコンロの受皿、特に、その受皿が浅底状に形成されているガスコンロに敷設して使用され、受皿が調理中の鍋から吹きこぼれた煮汁によって汚染されるのを防止するガスコンロ用マットに関するものである。
【０００２】
【従来の技術】
従来、ガスコンロの受皿が調理時に鍋から吹きこぼれた煮汁によって汚染されるのを防止するために、図５及び図６に示すように、ガスコンロの受皿の平面形状に等しい深底状に形成された矩形状マット主体１２の左右前部及び中央後部に、中央部にバーナーヘッド露出用円形孔１３を有する円環状突出部１４及び該円環状突出部１４の外周方に該突出部１４と同心円状に堤防状突起１５を上方に膨出させ、該突出部１４及び該堤防状突起１５を内外周壁とした周溝形状の深底汁受け溝１６が形成されてなるガスコンロ用マットが用いられている。
【０００３】
一方、近年、台所においてデザイン上又は省スペース化等の要請により、台所におけるガスコンロや流し台等の器材を規格化し一体的に据え付けることが行われている。このような一体型のガスコンロの受皿は、通常、浅底状に形成されており、上面が平坦な浅底受皿部と該浅底受皿部よりも下方に膨出させた中央部にバーナーヘッド配設孔を有する周溝形状の深底溝とを形成してなる。しかしながら、上記の如き従来のガスコンロ用マットでは、上記浅底状に形成された受皿には適用することができないものであった。
【０００４】
【発明が解決しようとする課題】
本発明は、システムキッチンで一体的に据え付け用いられるガスコンロの受皿、特に浅底状の受皿上に敷設して、調理中に鍋から吹きこぼれた煮汁によって受皿、更にはガスコンロ周辺が汚染されるのを防止するガスコンロ用マットを提供することを目的としてなされたものである。
【０００５】
【課題を解決するための手段】
請求項１に記載のガスコンロ用マットは、上面が平坦な浅底受皿部と、この浅底受皿部よりも下方に膨出させた中央部にバーナーヘッド配設孔を有する周溝形状の深底溝とを形成し、該深底溝の外周方に浅底受皿部の一部を上方に膨出させてなる円環状突部を設けてなるガスコンロの受皿上に敷設するガスコンロ用マットであって、上記ガスコンロの受皿上に敷設するマット主体に、上記浅底受皿部に嵌め込むようにして敷設される上面が平坦な浅底皿部と、該浅底皿部よりも下方に膨出させた中央部にバーナーヘッド露出用円形孔を有し且つ上記深底溝に嵌め込むようにして敷設される周溝形状の深底汁受け部とを形成し、更に、上記浅底皿部の一部を上方に膨出させることにより、上記深底汁受け部の外周縁部に上記円環状突部に被嵌させ且つ五徳を位置決めするための円環状突条部を形成していることを特徴とする。
【０００６】
請求項２に記載のガスコンロ用マットは、請求項１に記載のガスコンロ用マットにおいて、深底汁受け部の外周壁の上端部を垂直に起立させた起立部に形成していることを特徴とする。
【０００７】
【作用】
本発明のガスコンロ用マットは、マット主体に、上面が平坦な浅底皿部と該浅底皿部よりも下方に膨出させた中央部にバーナーヘッド露出用円形孔を有する周溝形状の深底汁受け部とを形成しているので、これをガスコンロの浅底状の受皿上に敷設すると、ガスコンロ用マットの深底汁受け部が受皿の深底溝に嵌合するとともに、ガスコンロ用マットの浅底皿部が受皿の浅底受皿部に嵌合し、ガスコンロ用マットの上記深底汁受け部や浅底皿部が変形したり盲動したりすることなく、正確且つ確実にガスコンロ用マットを受皿上に敷設することができる。又、調理中に鍋から煮汁が大量に吹きこぼれて、煮汁が深底汁受け部だけでなくその周囲にまでおよんだ場合であっても、浅底皿部がその煮汁を集積し、煮汁が受皿上からこぼれ落ちてガスコンロの周囲にまでおよぶのを阻止する。
【０００８】
【発明の実施の形態】
ガスコンロ用マットの一例を図１乃至図３に基づいて説明すると、１はアルミシート製のマット主体で、該マット主体１は、ガスコンロの受皿形状に合致した平面矩形状に形成されており、その外周縁は縁巻き２されてなる。
【０００９】
上記マット主体１には、上面が平坦な浅底皿部３と該浅底皿部３よりも下方に膨出させた深底汁受け部４とが形成されている。該浅底皿部３は、マット主体１の外周縁に沿った内側を下方に膨出させて平面矩形状に形成されてなる。
【００１０】
そして、上記深底汁受け部４は、マット主体１の左右前部及び右後部を上記浅底皿部３よりも下方に膨出させることにより形成されてなる。更に詳細には、各々の深底汁受け部４の中央部にはガスコンロのバーナーヘッドＡを露出させるためのバーナーヘッド露出用円形孔５が形成されており、該円形孔５の口縁は縁巻き４２されているとともに、その周縁部は断面下向きく字状に屈曲されて円環状突壁部４１とされており、該円環状突壁部４１の外周方には該突壁部４１を内周壁とする深底環状溝部４３が形成されている。該深底環状溝部４３の外周壁４４は、深底環状溝部４３の底部外周縁から外側斜め上方に延出して形成され、その上端部を垂直に起立させ起立部４５としている。
【００１１】
更に、深底汁受け部４の外周縁部には、浅底皿部３の一部を上方に膨出させることにより一定幅を有する断面下向きコ字状の円環状突条部６が形成されており、この円環状突条部６を介して上記深底汁受け部４の起立部４５の上端縁が上記浅底皿部３に延設している。
【００１２】
一方、上述した様に、ガスコンロの受皿７は浅底状に形成されており、深さが上記ガスコンロ用マットの浅底皿部３の深さに合致しているとともに上面が平坦な浅底受皿部８と、上記ガスコンロ用マットの深底汁受け部４に対応した位置に形成されているとともに上記浅底受皿部８よりも下方に膨出させた中央部にバーナーヘッド配設孔９を有し、上記ガスコンロ用マットの深底汁受け部４の深さに合致した深さを有する周溝形状の深底溝１０とを形成してなり、該深底溝１０の外周方には、浅底受皿部８の一部を上方に膨出させて形成されてなるとともに、上記ガスコンロ用マットの円環状突条部６が被嵌可能な円環状突部１１が形成されてなる。
【００１３】
上記の如き構成のガスコンロの受皿７上に、上記ガスコンロ用マットを、深底汁受け部４を深底溝１０に、浅底皿部３を浅底受皿部８に嵌め込むようにして敷設すると、図２及び図３に示すように、左右前部及び右後部に形成された深底溝４の中央部に形成された各々のバーナーヘッド露出用円形孔５、５、５が、受皿７のバーナーヘッド配設孔９、９、９に同心的に合致して、バーナーヘッドＡ、Ａ、Ａをそのバーナーヘッド露出用円形孔５、５、５から露出させる。このように、受皿７の深底溝１０にはガスコンロ用マットの深底汁受け部４が、そして、受皿７の浅底受皿部８にはガスコンロ用マットの浅底皿部３が嵌め込まれていることから、ガスコンロ用マットの上記深底汁受け部４や浅底皿部３が変形したり盲動することなく、正確且つ確実にガスコンロ用マットを受皿７上に敷設することができる。又、各々の深底汁受け部４、４、４の周囲に形成された円環状突条部６、６、６を、受皿７の円環状突部１１に被嵌させているので、ガスコンロ用マットは受皿７上を盲動することなく安定的に敷設される。そして、円環状突条部６の外周方近傍の浅底皿部３に五徳Ｂの脚部Ｂ１を載置し五徳Ｂを配置する。この際、五徳Ｂの脚部Ｂ１は円環状突条部６によって位置決めされているので、鍋Ｃの上げ下ろしによる振動や鍋Ｃに衝撃が加わった場合にあっても、五徳Ｂが不必要に盲動することがない。
【００１４】
上記の様にガスコンロの受皿７上にガスコンロ用マットを敷設し、五徳Ｂを配置した上で、五徳Ｂ上に鍋Ｃを載置して調理する。調理中に煮汁が鍋Ｃから吹きこぼれた場合，その量が少量の場合には鍋Ｃの外周面を伝って深底汁受け部４に滴下するが、その量が多量である場合には、鍋Ｃの外周面を伝うことなく鍋Ｃの開口上端縁から直接落下し、深底汁受け部４の外側へ落下することとなる。かかる場合であっても、深底汁受け部４の外周方には、深底汁受け部４よりも高い位置に形成されているとともにガスコンロの受皿７に形成された浅底受皿部８に合致した浅底皿部３が形成されているので、深底汁受け部４の外側へ落下した煮汁は該浅底皿部３に集積され、受皿７から外側へ煮汁がこぼれ落ちることがない。
【００１５】
なお、上記ガスコンロ用マットでは、マット主体１をガスコンロの受皿の形状に合致させて一枚で形成した場合を説明したが、図４に示すように、マット主体１を複数枚に分割して、これら複数枚のマット主体１を組み合わせることにより、ガスコンロの受皿の形状に合致させ、受皿全面を被覆可能に形成させたものであってもよい。
【００１６】
【発明の効果】
本発明のガスコンロ用マットは、上記の如く構成されているので、浅底状に形成され、上部が平坦な浅底受皿部８と該浅底受皿部８よりも下方に膨出して形成された深底溝１０とが形成されてなるガスコンロの受皿７に用いた場合であっても、受皿７の深底溝１０にはガスコンロ用マットの深底汁受け部４が嵌合するとともに、受皿７の浅底受皿部８にはガスコンロ用マットの浅底皿部３が嵌合し、ガスコンロ用マットの上記深底汁受け部４や浅底皿部３が変形したり盲動したりすることなく、正確且つ確実にガスコンロ用マットを受皿７上に敷設することができる。
【００１７】
又、深底汁受け部４の外周方には浅底皿部３が形成されているので、調理中の鍋Ｃから煮こぼれした煮汁量が大量で、煮汁が深底汁受け部４の外側に落下した場合にあっても、該煮汁は浅底皿部３によって集積されるので、受皿７上から外側へ煮汁がこぼれ落ち、ガスコンロの周囲を汚染するといった不測の事態を防止することができる。
【００１８】
最後に、深底汁受け部４の周囲に浅底皿部３の一部を上方に突出させてなる円環状突条部６を形成しておけば、調理中の鍋Ｃの上げ下ろしや鍋Ｃに衝撃が加わった場合にあっても、五徳Ｂが円環状突条部６によって位置決めされていることから不必要に盲動することがなく、安全に調理を進めることができる。
【図面の簡単な説明】
【図１】ガスコンロ用マットの実施例を示す斜視図である。
【図２】図１のガスコンロ用マットをガスコンロの受皿上に敷設した状態を示した一部切欠断面図である。
【図３】図１のガスコンロ用マットをガスコンロの受皿上に敷設した状態を示した斜視図である。
【図４】ガスコンロ用マットの他の実施例を示す斜視図である。
【図５】従来のガスコンロ用マットを示す平面図である。
【図６】図５のガスコンロ用マットのＡ−Ａ線断面図である。
【符号の説明】
１  マット主体
２  縁巻き
３  浅底皿部
４  深底汁受け部
５  バーナーヘッド露出用円形孔
６  円環状突条部
７  受皿
８  浅底受皿部
９  バーナーヘッド配設孔
１０  深底溝
１１  円環状突部
Ａ  バーナーヘッド
Ｂ  五徳
Ｃ  鍋
【図１】
0003615012.tif 000002
【図２】
0003615012.tif 000003
【図３】
0003615012.tif 000004
【図４】
0003615012.tif 000005
【図５】
0003615012.tif 000006
【図６】
0003615012.tif 000007